(57)【要約】      （修正有）【課題】キャスターと転動棒とが、同時に固定され、キャスターが固定される時、転動棒が固定されず、摺動するようになる使用上の問題を防止する。【解決手段】キャスターフレーム１と制動セット２、転動セット３及びキャスターセット４から構成され、制動セットの押圧ブロック２１を下へ押圧して、制動スプリングシート２３に係止すると、押圧ブロックにより、連動棒２１４が連動され、連動棒とキャスターセットとの定位ギア４１１が互いに係止し、また、同時に、連動ブロックが上へ変位し、定位棒と定位リング３２の定位孔３２１が互いに係止し、定位孔が定位棒と対応して係止しない時、転動棒を転動して、制動セットのスプリング２４により、定位棒が定位孔内に付勢される。【選択図】図２
0003134722.tif 000002
【実用新案登録請求の範囲】
【請求項１】
主として、キャスターフレームと制動セット、転動セット及びキャスターセットから構成される定位キャスター構造であって、制動セットの押圧ブロックを下へ押圧して、制動スプリングシートに係止すると、押圧ブロックにより連動棒が転動されて、連動棒とキャスターセットの定位ギアとが、互いに係止し、また、同時に、連動ブロックが上へ変位し、定位棒と定位リングの定位孔が、互いに係止し、定位孔が、定位棒と、対応して係止しない時、転動棒を転動して、制動セットのスプリングにより、定位棒が、定位孔内に付勢され、キャスターが、左右へ転動しないようになる、ことを特徴とする定位キャスター構造。
【請求項２】
制動セットが、押圧ブロックと連動ブロック、制動スプリングシートとスプリング及び定位棒からなり、押圧ブロックが、転動セットとキャスターセットを制御するためのブロックで、押圧ブロックの下方突出に、固定軸を通して固定するための固定孔が設けられ、固定孔の下方に、連動棒を通して連動ブロックを上下へ摺動するように連動するための連動孔が設けられ、制御ブロックが、左右対称のブロックであり、制御ブロックの前端上方に、スプリングと定位棒とを収納するための収納孔が設けられ、制御ブロックの末端に、連動槽が設けられ、連動棒により上下へ摺動するように制御され、制御ブロックの側辺に、複数の固定孔が設けられ、左右を対応して組み立てる時、固定棒によって固定され、その制動スプリングシートが、弾性を有するシートであり、押圧ブロックと、互いに係止し、スプリングが、弾力を有するもので、定位棒を、転動セットの定位孔内に付勢し、定位棒が、転動セットを固定する素子であることを特徴とする請求項１に記載の定位キャスター構造。
【請求項３】
転動セットの定位リングが、扁平円形状のリングであり、定位リングの下方に、制動セットの定位棒を中へ付勢して定位するための複数の定位孔が設けられることを特徴とする請求項１に記載の定位キャスター構造。
【考案の詳細な説明】
【技術分野】
【０００１】
本考案は、定位キャスター構造に関し、特に、キャスターフレームと制動セット、転動セット及びキャスターセットから構成、キャスターと転動棒とが同時に固定されるものに関する。
【背景技術】
【０００２】
従来のキャスターの制動構造は、キャスターの制動構造であり、その特徴は、押圧部材の押圧部を押圧すると、押圧部材の前端が、変位して、キャスターベースの突出ブロックに抵当するとともに、押圧部材の前端に枢着された係合部材を下へ変位するように駆動し、係合部材の側辺に位置する係止素子が、キャスターの嵌合部に嵌合し、そのため、該係止素子と嵌合部とが、互いに嵌合して、制動効果が得られ、キャスターを固定する時、キャスターのスピンドルが固定されず、固定されているキャスターが、左右へ回転でき、キャスターが実装されたものが、摺動するようになる。
【考案の開示】
【考案が解決しようとする課題】
【０００３】
本考案の目的は、キャスターと転動棒とが、同時に固定され、キャスターが固定される時、転動棒が固定されず、摺動するようになる使用上の問題を防止できる定位キャスター構造を提供する。
【課題を解決するための手段】
【０００４】
請求項１の考案は、主として、キャスターフレームと制動セット、転動セット及びキャスターセットから構成される定位キャスター構造であって、将制動セットの押圧ブロックを下へ押圧して、制動スプリングシートに係止すると、押圧ブロックにより連動棒が転動されて、連動棒とキャスターセットの定位ギアとが、互いに係止し、また、同時に、連動ブロックが上へ変位し、定位棒と定位リングの定位孔が、互いに係止し、定位孔が、定位棒と、対応して係止しない時、転動棒を転動して、制動セットのスプリングにより、定位棒が、定位孔内に付勢され、キャスターが、左右へ転動しないようになる、ことを特徴とする定位キャスター構造である。
【０００５】
請求項２の考案は、制動セットが、押圧ブロックと連動ブロック、制動スプリングシート和スプリング及び定位棒からなり、押圧ブロックが、転動セットとキャスターセットを制御するためのブロックで、押圧ブロックの下方突出に、固定軸を通して固定するための固定孔が設けられ、固定孔の下方に、連動棒を通して連動ブロックを上下へ摺動するように連動するための連動孔が設けられ、制御ブロックが、左右対称のブロックであり、制御ブロックの前端上方に、スプリングと定位棒とを収納するための収納孔が設けられ、制御ブロックの末端に、連動槽が設けられ、連動棒により、上下へ摺動するように制御され、制御ブロックの側辺に、複数の固定孔が設けられ、左右を対応して組み立てる時、固定棒によって固定され、その制動スプリングシートが、弾性を有するシートであり、押圧ブロックと、互いに係止し、スプリングが、弾力を有するもので、定位棒を、転動セットの定位孔内に付勢し、定位棒が、転動セットを固定する素子であることを特徴とする請求項１に記載の定位キャスター構造である。
【０００６】
請求項３の考案は、転動セットの定位リングが、扁平円形状のリングであり、定位リングの下方に、制動セットの定位棒を中へ付勢して定位するための複数の定位孔が設けられることを特徴とする請求項１に記載の定位キャスター構造である。
【考案を実施するための最良の形態】
【０００７】
図１ないし図３を参照しながら、本考案は、主として、キャスターフレーム１と制動セット２、転動セット３及びキャスターセット４から構成される。
【０００８】
キャスターフレーム１は、外観が、ｄ文字形の主体１１であり、その主体１１は、複数の部品を一体に組み立てるためのものであり、主体１１の外側に、制動セット２の押圧ブロック２１を内部に収納するための凹槽１２が設けられ、凹槽１２の両側に、押圧ブロック２１の連動孔２１３が、固定軸２１２により枢着されるための凹槽孔１２１が設けられ、主体１１の側辺に、転動セット３の軸受３５を実装するための転動貫通孔１３が設置され、転動貫通孔１３の上端の周囲に、制動セット２の定位棒２５を収納するための二つの組み合わせ孔１４が設けられ、主体１１の中心に、キャスターセット４の貫通軸４２を貫設するための輪軸孔１５が設けられる。
【０００９】
制動セット２は、押圧ブロック２１と連動ブロック２２、制動スプリングシート２３、スプリング２４及び定位棒２５からなり、該押圧ブロック２１は、転動セット３とキャスターセット４を制御するためのブロックであり、押圧ブロック２１において、下方へ突出するように、固定軸２１２を貫設するための固定孔２１１が設けられ、固定孔２１１の下方に、連動棒２１４が貫設して連動ブロック２２を上下へ摺動させるための連動孔２１３が設けられ、連動ブロック２２は、二つの左右対称とするブロックであり、連動ブロック２２の前端の上方に、スプリング２４と定位棒２５を収納するための収納孔２２１が設けられ、連動ブロック２２の末端に、連動棒２１４により上下へ摺動させるように制御するための連動槽２２２が設けられ、連動ブロック２２の側辺に、複数の固定孔２２３が設けられ、左右を対応して組み立てる時、固定棒２２４により固定され、その制動スプリングシート２３が、弾性を有するシートであり、押圧ブロック２１と、互いに係止し、スプリング２４が、弾力を有するもので、定位棒２５を転動セット３の定位孔３１１内に付勢し、定位棒２５が、転動セット３を固定するための素子である。
【００１０】
転動セット３は、転動棒３１と定位リング３２、上軸受３３、スリーブ３４、下軸受３５及びナット３６からなり、転動棒３１は、キャスターを左右へ転動するように連動するための軸体であり、転動棒３１の下方に、ナット３６と螺着するためのネジ３１１が設けられ、転動棒３１の下方に、扁平円形状のリングである定位リング３２が嵌設され、定位リング３２の下方に、制動セット２の定位棒２５を定位するための複数の定位孔３２１が設けられ、定位リング３２の下方に、転動棒３１がスムーズに左右へ回転できるための上軸受３３が嵌設され、上軸受３３の下方に、転動棒３１がスムーズに転動するための筒体であるスリーブ３４が組み立てられ、スリーブ３４の下方に、転動棒３１がスムーズに左右へ転動できるための下軸受３５が組み立てられ、上軸受３４に合わせて、下軸受３５の下方に、転動棒３１のネジ３１１と、互いに螺着でき、また、他の部材を固定するためのナット３６が設けられる
【００１１】
キャスターセット４は、左右対称とするキャスター４１であり、キャスター４１は、円形状で、左右対称とする輪体であり、キャスター４１の内側の周囲に、制動セット２の連動棒２１４を係止固定するための複数の定位ギア４１１が設けられ、円心部分に、貫通軸４２を貫設するための軸受孔４１２が設置され、貫通軸４２は、左右両側に位置するキャスター４１を貫通して固定し、ガスケット４３は、貫通軸４２を安定に固定するためのリング状シートであり、組み合わせ蓋４４は、円形状で、一側がやや円弧状である蓋体で、左右キャスター４１の外側に組み立てられ、貫通軸４２が脱離しないためのものである。
【００１２】
定位キャスター構造を組み立てる時、図２ないし図４のように、まず、制動セット２のスプリング２４を、連動ブロック２２の収納孔２２１内に実装し、また、左右対称とする連動ブロック２２を、対応するように、キャスターフレーム１の主体１１の内部に設置し、また、固定棒２２４を固定孔２２３に貫設し、図５のように、制動セット２の制動スプリングシート２３を、キャスターフレーム１の凹槽１２の下方に実装し、また、制動セット２の押圧ブロック２１を、凹槽１２内に実装し、そして、固定軸２１２を、凹槽孔１２１と固定孔２１１に貫設して、連結固定し、図６のように、また、連動棒２１４を、連動ブロック２２の連動槽２２２内に組立、そして、押圧ブロック２１の連動孔２１３を通して、固定し、図７のように、定位棒２５を組み合わせ孔１４に通して連動ブロック２２の収納孔２２３内に組み立てて、転動セット３の転動棒３１を、定位リング３２と上軸受３３、スリーブ３４及びキャスターフレーム１の転動貫通孔１３に通して、下軸受３５を転動棒３１に嵌設し、また、ナット３６と転動棒３１とのネジ３１１を互いに螺着し、キャスターセット４の左右対称とするキャスター４１の軸受孔４１２とキャスターフレーム１の内側に位置する輪軸孔１５とを互いに対応して、貫通軸４２を貫設し、そして、ガスケット４３を、貫通軸４２に嵌設し、最後に、左右対称とする組み合わせ蓋４４を、キャスター４１の外側に組み立てて、貫通軸４２を固定する。
【００１３】
定位キャスター構造を利用する時、図８と図９を参照しながら、制動セット２の押圧ブロック  ２１を下へ押圧すると、制動スプリングシート２３とが互いに係止し、押圧ブロック２１により連動棒２５が連動され、連動棒２５とキャスターセット４の定位ギア４１１が、互いに係止し、同時に、連動ブロック２２が上へ変位し、定位棒２５と定位リング３２の定位孔３２１が互いに係止し、定位孔３２１が、定位棒２５と対応して係止しない時、転動棒３１を転動して、制動セット２のスプリング２４により、定位棒２５が、定位孔３２１内に付勢され、キャスターが容易に左右へ転動できなくなる。
【図面の簡単な説明】
【００１４】
【図１】本考案の組み合わせの概念図
【図２】本考案の分解の概念図
【図３】本考案の一部の分解概念図
【図４】本考案の断面位置の概念図
【図５】本考案のＡ−Ａ断面概念図
【図６】本考案のＢ−Ｂ断面概念図
【図７】本考案のＣ−Ｃ断面概念図
【図８】本考案の押圧定位の概念図
【図９】本考案の付勢定位の概念図
【符号の説明】
【００１５】
１      キャスターフレーム
１１    主体
１２    凹槽
１２１  凹槽孔
１３    転動貫通孔
１４    組み合わせ孔
１５    輪軸孔
２      制動セット
２１    押圧ブロック
２１１  固定孔
２１２  固定軸
２１３  連動孔
２１４  連動棒
２２    連動ブロック
２２１  収納孔
２２２  連動槽
２２３  固定孔
２２４  固定棒
２３    制動スプリングシート
２４    スプリング
２５    定位棒      
３      転動セット
３１    転動棒
３１１  ネジ
３２    定位リング
３２１  定位孔
３３    上軸受
３４    スリーブ
３５    下軸受
３６    ナット
４      キャスターセット
４１    キャスター
４１１  定位ギア
４１２  軸受孔
４２    貫通軸
４３    ガスケット
４４    組み合わせ蓋
【図１】
0003134722.tif 000003
【図２】
0003134722.tif 000004
【図３】
0003134722.tif 000005
【図４】
0003134722.tif 000006
【図５】
0003134722.tif 000007
【図６】
0003134722.tif 000008
【図７】
0003134722.tif 000009
【図８】
0003134722.tif 000010
【図９】
0003134722.tif 000011